(57)【要約】  液体（６）中の精神活性成分の識別の非接触検出方法及びそのための装置が開示される。本方法は、少なくとも二つの異なる波長（Ｌａ、Ｌｂ）の実質的に単色光を放出するステップと、光検出器（５）によって液体（６）の自由表面（１２）における反射を検出するステップと、光検出器（５）からの出力信号を分析して、第一の光源（３ａ）及び第二の光源（３ｂ）のそれぞれから放出された光によって生じる出力部分を識別するステップと、液体（６）が少なくとも一種の精神活性成分を含むかどうかを決定するステップとを備える。
2016524146.tif 000002
【特許請求の範囲】
【請求項１】
液体（６）中の精神活性成分の指標を非接触検出する方法であって、
第一の試験光源（３ａ）によって第一の試験波長（Ｌａ）の実質的に単色光を放出するステップと、
第二の試験光源（３ｂ）によって前記第一の試験波長（Ｌａ）とは異なる第二の試験波長（Ｌｂ）の実質的に単色光を放出するステップと、
光検出器（５）によって前記液体（６）の自由表面（１２）における放出光の反射を検出するステップであって、前記第一の試験光源（３ａ）及び前記第二の試験光源（３ｂ）が、前記光検出器（５）からの出力信号を前記第一の試験光源から放出された光によって生じる出力部分と前記第二の試験光源から放出された光によって生じる出力部分とに分離することができるように作動される、ステップと、
前記光検出器（５）からの出力信号を分析して、前記第一の試験光源（３ａ）から放出された光によって生じる前記光検出器（５）からの第一の出力部分と、前記第二の試験光源（３ｂ）から放出された光によって生じる第二の出力部分とを識別するステップと、
少なくとも前記第一の出力部分及び前記第二の出力部分から、前記液体（６）が一組の精神活性成分のうち少なくとも一種の精神活性成分を含むかどうかの指標を決定するステップとを備えた方法。
【請求項２】
少なくとも一つの追加の光源（３ｃ…３ｎ、４）によって少なくとも一つの追加の波長（Ｌｃ）の実質的に単色光を放出するステップと、
光検出器（５）によって前記液体（６）の自由表面（１２）における放出光の反射を検出するステップであって、前記追加の光源（３ｃ…３ｎ、４）が、前記光検出器（５）からの出力信号を前記追加の光源（３ｃ…３ｎ、４）の各々から放出された光によって生じる出力部分に分離することができるように作動される、ステップと、
前記光検出器（５）からの出力信号を分析して、前記少なくとも一つの追加の光源（３ｃ…３ｎ、４）から放出された光によって生じる前記光検出器からの追加の出力部分を識別するステップと、
前記追加の出力部分から、前記一組の精神活性成分のうち少なくとも一種の精神活性成分が含まれるかどうかの指標を決定するステップとを備えた請求項１に記載の方法。
【請求項３】
前記追加の光源のうち一つ（４）によって放出される光が、１４００ｎｍから１５６０ｎｍまでの範囲又は１８７０ｎｍから２０５０ｎｍの範囲内の濁度波長に選択され、該追加の光源（４）から放出された光によって生じる前記光検出器からの出力部分が、前記液体（６）の濁度を決定するように適用される、請求項２に記載の方法。
【請求項４】
前記一組の精神活性成分が、ゾルピデム、ケタミン、及びガンマヒドロキシ酪酸を少なくとも含む、請求項１から３のいずれか一項に記載の方法。
【請求項５】
前記一組の精神活性成分がガンマブチロラクトンを含む、請求項４に記載の方法。
【請求項６】
前記一組の精神活性成分が、フルニトラゼパム、ゾピクロン、及びメチルフェニデートのうち一種以上を含む、請求項４又は５に記載の方法。
【請求項７】
前記一組の精神活性成分が、ミダゾラム、テマゼパム、クロナゼパム、及びアルプラゾラムのうち一種以上を含む、請求項４から６のいずれか一項に記載の方法。
【請求項８】
前記一組の精神活性成分がベンゾジアゼピン系薬を含む、請求項４から７のいずれか一項に記載の方法。
【請求項９】
前記出力部分から前記液体（６）が一組の精神活性成分のうち少なくとも一種の精神活性成分を含むかどうかの指標を決定するステップが、複数の試験結果の多変量分析に基づいている、請求項１から８のいずれか一項に記載の方法。
【請求項１０】
二つ、好ましくは三つの試験波長（Ｌａ、Ｌｂ、Ｌｃ）それぞれの間の相互分離が、少なくとも６０ｎｍ、好ましくは少なくとも９０ｎｍである、請求項１から９のいずれか一項に記載の方法。
【請求項１１】
少なくとも前記第一の試験波長（Ｌａ）及び前記第二の試験波長（Ｌｂ）が、７００ｎｍから２５００ｎｍまでの範囲内、好ましくは９００ｎｍから１８００ｎｍまでの範囲内、より好ましくは１０００ｎｍから１４００ｎｍまでの範囲内にある、請求項１から１０のいずれか一項に記載の方法。
【請求項１２】
第三の試験波長（Ｌｃ）が、７００ｎｍから２５００ｎｍまでの範囲内、好ましくは９００ｎｍから１８００ｎｍまでの範囲内、より好ましくは１０００ｎｍから１４００ｎｍまでの範囲内にある、請求項１１に記載の方法。
【請求項１３】
前記液体（６）が、アルコールを、好ましくは３体積パーセントから５０体積パーセントまでの範囲内の量で含む、請求項１から１２のいずれか一項に記載の方法。
【請求項１４】
前記液体（６）が、検出後に人間が消費するのに適している、請求項１から１３のいずれか一項に記載の方法。
【請求項１５】
前記光源（３ａ、３ｂ、３ｃ、３ｄ…３ｎ、４）及び前記光検出器（５）が、前記液体の自由表面（１２）からの光の拡散反射が前記光検出器（５）に到達し、前記液体の自由表面（１２）からの鏡面反射が前記光検出器（５）に到達しないように配置される、請求項１から１４のいずれか一項に記載の方法。
【請求項１６】
前記光源のうち少なくとも一つ（３ａ、３ｂ、３ｃ）が発光ダイオードである、請求項１から１５のいずれか一項に記載の方法。
【請求項１７】
前記光検出器（５）が複数の光検出ユニットから成る、請求項１から１６のいずれか一項に記載の方法。
【請求項１８】
請求項１から１７のいずれか一項に記載の方法を行うための装置。
【請求項１９】
ブレスレット（２）等の携帯型ユニットに設けられている請求項１８に記載の装置。
【請求項２０】
２個から１２個の試験光源（３ａ…３ｎ）、好ましくは３個から８個の試験光源、例えば３個から６個の試験光源を含む請求項１８又は１９に記載の装置。
【請求項２１】
少なくとも前記第一の試験波長（Ｌａ）及び前記第二の試験波長（Ｌｂ）が、７００ｎｍから２５００ｎｍまでの範囲内、好ましくは９００ｎｍから１８００ｎｍまでの範囲内、より好ましくは１０００ｎｍから１４００ｎｍまでの範囲内にある、請求項２０に記載の装置。
【請求項２２】
少なくとも第三の試験波長（Ｌｃ）が、７００ｎｍから２５００ｎｍまでの範囲内、好ましくは９００ｎｍから１８００ｎｍまでの範囲内、より好ましくは１０００ｎｍから１４００ｎｍまでの範囲内にある、請求項２１に記載の装置。
【請求項２３】
請求項１から１７のいずれか一項に記載の方法用の請求項１８から２２のいずれか一項に記載の装置の使用。
【請求項２４】
液体（６）中の精神活性成分の指標を検出する方法であって、
第一の試験光源（３ａ）によって第一の試験波長（Ｌａ）の実質的に単色光を放出するステップと、
第二の試験光源（３ｂ）によって前記第一の試験波長（Ｌａ）とは異なる第二の試験波長（Ｌｂ）の実質的に単色光を放出するステップと、
光検出器（５）によって前記液体（６）を通る放出光の透過を検出するステップであって、前記第一の試験光源（３ａ）及び前記第二の試験光源（３ｂ）が、前記光検出器（５）からの出力信号を前記第一の試験光源から放出された光によって生じる出力部分と前記第二の試験光源から放出された光によって生じる出力部分とに分離することができるように作動される、ステップと、
前記光検出器（５）からの出力信号を分析して、前記第一の試験光源（３ａ）から放出された光によって生じる前記光検出器（５）からの第一の出力部分と、前記第二の試験光源（３ｂ）から放出された光によって生じる第二の出力部分とを識別するステップと、
少なくとも前記第一の出力部分及び前記第二の出力部分から、前記液体（６）が一組の精神活性成分のうち少なくとも一種の精神活性成分を含むかどうかの指標を決定するステップとを備えた方法。
【請求項２５】
少なくとも一つの追加の光源（３ｃ…３ｎ、４）によって少なくとも一つの追加の波長（Ｌｃ）の実質的に単色光を放出するステップと、
光検出器（５）によって前記液体（６）を通る放出光の透過を検出するステップであって、前記追加の光源（３ｃ…３ｎ、４）が、前記光検出器（５）からの出力信号を前記追加の光源（３ｃ…３ｎ、４）の各々から放出された光によって生じる出力部分に分離することができるように作動される、ステップと、
前記光検出器（５）からの出力信号を分析して、前記少なくとも一つの追加の光源（３ｃ…３ｎ、４）から放出された光によって生じる前記光検出器からの追加の出力部分を識別するステップと、
前記追加の出力部分から、前記一組の精神活性成分のうち少なくとも一種の精神活性成分が含まれるかどうかの指標を決定するステップとを備えた請求項２４に記載の方法。
【発明の詳細な説明】
【技術分野】
【０００１】
本発明は、液体中の精神活性成分の指標の検出方法、及びその方法を行うための装置に関する。
【背景技術】
【０００２】
窃盗や性的暴行（デートドラッグレイプとして一般的に知られている）のために、数多くの向精神薬が飲み物や人間が消費する他の液体に加えられることが多々あり、その向精神薬を無意識に消費した者を無能力状態にする。
【０００３】
人間が消費する液体中の精神活性汚染物の存在を検出する従来の方法は、試薬を加えることと、試薬の特徴の変化（濁度の増大や、試験紙上での試薬の変化等）の後続の分析とを含む。
【発明の概要】
【発明が解決しようとする課題】
【０００４】
本発明の一課題は、液体中の精神活性成分の含有の可能性を、有害な可能性のある試薬でその液体を汚染する危険性なく、決定することができる方法及び装置を提供することである。
【課題を解決するための手段】
【０００５】
液体中の精神活性成分の指標の非接触検出方法が開示され、本方法は、第一の試験光源によって第一の試験波長の実質的に単色光を放出するステップと、第二の試験光源によって第一の試験波長とは異なる第二の試験波長の実質的に単色光を放出するステップと、光検出器によって液体の自由表面における放出光の反射を検出するステップ（第一の試験光源及び第二の試験光源は、光検出器からの出力信号を第一の試験光源から放出された光によって生じる出力部分と第二の試験光源から放出された光によって生じる出力部分とに分離することができるように作動される）と、光検出器からの出力信号を分析して、第一の試験光源から放出された光によって生じる光検出器からの第一の出力部分と、第二の試験光源から放出された光によって生じる第二の出力部分とを識別するステップと、少なくとも第一の出力部分及び第二の出力部分から、液体が一組の精神活性成分のうち少なくとも一種の精神活性成分を含むかどうかの指標を決定するステップとを備える。
【０００６】
好ましい実施形態では、光源は発光ダイオード（ＬＥＤ）であり得て、非常に狭い帯域幅で光を放出し、本発明において実質的に単色光であるとされる。代替的な光源として、レーザーダイオードが挙げられる。
【０００７】
分析からの指標は、一組の精神活性成分のうち一種のドラッグに起因するものであり得て、又は、その一組の精神活性成分のものとは異なるドラッグ、例えば、同様の化学構造を有する成分に起因するものであり得る。いずれにせよ、液体を消費すると人間が精神活性になるのに十分な量で液体中に精神活性成分が存在することは、本発明によって示される。
【０００８】
好ましくは、本方法は、少なくとも一つの追加の光源によって少なくとも一つの追加の波長の実質的に単色光を放出するステップと、光検出器によって液体の自由表面における放出光の反射を検出するステップ（追加の光源は、光検出器からの出力信号を追加の光源の各々から放出された光によって生じる出力部分に分離することができるように作動される）と、光検出器からの出力信号を分析して、少なくとも一つの追加の光源から放出された光によって生じる光検出器からの追加の出力部分を識別するステップと、追加の出力部分から、一組の精神活性成分のうち少なくとも一種の精神活性成分が含まれるかどうかの指標を決定するステップとを備える。
【０００９】
従って、好ましくは、本方法は、少なくとも第三の試験光源を用いて行われる。好ましい実施形態では、人間に作用し得る量で精神活性物質を含む液体の信頼できる分析を提供するのに十分であると考えられる三つ又は四つの試験光源が用いられる。
【００１０】
追加の光源のうち一つによって放出される光は、好ましくは、１４００ｎｍから１５６０ｎｍまでの範囲内、又は１８７０ｎｍから２０５０ｎｍまでの範囲内の濁度波長に選択され、追加の光源から放出された光によって生じる光検出器からの出力部分は、液体の濁度を決定するように適用される。
【００１１】
好ましい実施形態では、一組の精神活性成分は、ゾルピデム、ケタミン、及びガンマヒドロキシ酪酸（ＧＨＢやファンタジーとしても知られている）を少なくとも含む。これら三つの成分は、被害者を無意識に中毒にさせる違法目的で最も一般的に使用されている薬物であると考えられる。
【００１２】
本方法による陽性所見は、人間に実質的に作用するのに十分な濃度で存在している限りにおいて、少なくともこれら二種の向精神薬の検出を含む。ゾルピデムは、例えばゾピクロンやザレプロンと共に非ベンゾジアゼピン系のＺ薬に属し、これら薬物のうち一種の液体中での存在は、本方法によって得られるのと同じ、又は少なくとも同様の指標を通常は生じさせる。
【００１３】
好ましくは、一組の精神活性成分は、ＧＨＢに密接に関連しているガンマブチロラクトン（ＧＢＬとして知られている）も含む。
【００１４】
また、好ましくは、一組の精神活性成分は、フルニトラゼパム、ゾピクロン、及びメチルフェニデートのうち一種以上も含み、これらはそれぞれ、ロヒプノール（Ｒｏｈｙｐｎｏｌ）、Ｉｍｏｃｌｏｎｅ、リタリン（Ｒｉｔａｌｉｎ）との商品名で知られている。
【００１５】
一組の精神活性成分は、ミダゾラム、テマゼパム、クロナゼパム、及びアルプラゾラムのうち一種以上を更に含み得るが、本方法は、必ずしも、この一組のうちの全ての成分又は薬物を区別するものではない。
【００１６】
好ましくは、一組の精神活性成分は、ベンゾジアゼピン系薬も含む。
【００１７】
本発明の好ましい実施形態では、出力部分から、液体が一組の精神活性成分のうち少なくとも一種の精神活性成分を含むかどうかの指標を決定するステップは、本方法の前に行われた複数の試験結果の多変量分析に基づいたものである。
【００１８】
二つ、好ましくは三つの試験波長それぞれの間の相互分離は、少なくとも６０ｎｍ、好ましくは少なくとも９０ｎｍである。本方法は、少なくとも６０ｎｍ、好ましくは少なくとも９０ｎｍの波長間の相互分離で、三つ、特に四つの異なる試験波長の使用を含み得るが、その分離は、液体中の精神活性成分の存在を区別及び識別するために各試験光源に関連する出力部分が十分異なるようにするのに有利なものであることがわかっている。
【００１９】
少なくも第一の試験波長及び第二の試験波長が、７００ｎｍから２５００ｎｍまでの範囲内、好ましくは９００ｎｍから１８００ｎｍまでの範囲内、より好ましくは１０００ｎｍから１４００ｎｍまでの範囲内にあることが好ましい。何故ならば、これらの範囲は、水を通る光の透過率が高い範囲だからである。
【００２０】
第三の試験波長が、７００ｎｍから２５００ｎｍまでの範囲内、好ましくは９００ｎｍから１８００ｎｍまでの範囲内、より好ましくは１０００ｎｍから１４００ｎｍまでの範囲内にあることが更に好ましい。
【００２１】
本方法は、アルコールを、好ましくは３体積パーセントから５０体積パーセントまでの範囲内の量で含む液体に好適に適用される。
【００２２】
本方法を、検出後に人間が消費するのに適した液体に対して行うことが有利となり得る。
【００２３】
好ましくは、光源及び光検出器は、液体の自由表面からの光の拡散反射が光検出器に到達し、液体の自由表面からの鏡面反射が光検出器に到達しないように配置される。何故ならば、鏡面反射は試験結果を乱し得るからである。これは、鏡面反射を避けるように、光源及び／若しくは光検出器に角度を付けることによって、並びに／又は、光源及び／若しくは光検出器の周りにスクリーンを設けることによって達成可能である。
【００２４】
光検出器は、単一又は複数の光検出ユニットを備え得る。
【００２５】
更に、本発明は、上記方法を行うための装置に関する。
【００２６】
好ましくは、本装置は、ブレスレット等の携帯型ユニットに設けられる。
【００２７】
好ましい実施形態では、本装置は、２個から１２個の試験光源、好ましくは３個から８個の試験光源、例えば３個から６個の試験光源を含む。何故ならば、本発明の利点の一つは、液体の詳細なスペクトル分析用の先端機器が本発明によって無用とされることだからである。
【００２８】
本装置の少なくとも第一の試験波長及び第二の試験波長は、７００ｎｍから２５００ｎｍまでの範囲内、好ましくは９００ｎｍから１８００ｎｍまでの範囲内、より好ましくは１０００ｎｍから１４００ｎｍまでの範囲内にあることが好ましい。
【００２９】
本装置の少なくとも第三の試験波長は、７００ｎｍから２５００ｎｍまでの範囲内、好ましくは９００ｎｍから１８００ｎｍまでの範囲内、より好ましくは１０００ｎｍから１４００ｎｍまでの範囲内にあることが好ましい。
【００３０】
本発明は、本発明の方法を行うための本装置の使用にも関する。
【００３１】
本発明の第二態様は、液体中の精神活性成分の指標の検出方法に関し、この方法は、第一の試験光源によって第一の試験波長の実質的に単色光を放出するステップと、第二の試験光源によって第一の試験波長とは異なる第二の試験波長の実質的に単色光を放出するステップと、光検出器によって液体を通る放出光の透過を検出するステップ（第一の試験光源及び第二の試験光源は、光検出器からの出力信号を第一の試験光源から放出された光によって生じる出力部分と第二の試験光源から放出された光によって生じる出力部分とに分離することができるように作動される）と、光検出器からの出力信号を分析して、第一の試験光源から放出された光によって生じる光検出器からの第一の出力部分と、第二の試験光源から放出された光によって生じる第二の出力部分とを識別するステップと、少なくとも第一の出力部分及び第二の出力部分から、液体が一組の精神活性成分のうち少なくとも一種の精神活性成分を含むかどうかの指標を決定するステップとを備える。
【００３２】
この態様によると、例えば、試験される液体を保持する容器（例えば、グラス）内に落とされる装置を用いて、放出光が、好ましくは、５ミリメートル未満（３ミリメートル未満等）、例えば、０．５ミリメートルから２．５ミリメートルまでの範囲内の距離にわたって、液体を透過する。
【００３３】
この方法は、少なくとも一つの追加の光源によって少なくとも一つの追加の波長の実質的に単色光を放出するステップと、光検出器によって液体を通る放出光の透過を検出するステップ（追加の光源は、光検出器からの出力信号を追加の光源の各々から放出された光によって生じる出力部分に分離することができるように作動される）と、光検出器からの出力信号を分析して、少なくとも一つの追加の光源から放出された光によって生じる光検出器からの追加の出力部分を識別するステップと、追加の出力部分から、一組の精神活性成分のうち少なくとも一種の精神活性成分が含まれるかどうかの指標を決定するステップとを更に備え得る。
【００３４】
第一態様に係る方法に関して上述しまた請求項３から請求項１７に記載される更なるステップ及び特徴は、第二態様に係る方法にも同様に適用可能である。本発明は、第一態様に係る方法を行うための装置に関して上述しまた請求項１９から請求項２２に記載される任意の特徴と共に、第二態様に係る方法を行うための装置にも関し、また、本発明の第二態様に係る方法を行うためのこうした装置の使用にも関する。
【００３５】
本発明の一実施形態を図面に示す。
【図面の簡単な説明】
【００３６】
【図１】本発明に係る装置の使用概略図である。
【発明を実施するための形態】
【００３７】
本発明の一実施形態が図１に示されていて、検出装置１が、使用者が着用するブレスレット２に設けられている。代替実施形態では、装置１は、携帯電話又はラップトップコンピュータのカバー等の他の携帯型物体に設けられ得て、又は、装置１を、使用者が向精神薬の存在について飲み物を試験する試験場所に動かさずに配置することができる。装置１は三つの試験光源３ａ、３ｂ、３ｃを備え、これら試験光源は、ガンマヒドロキシ酪酸（ＧＨＢやファンタジーとして知られている）、ケタミン、ゾルピデムを含む多数の精神活性成分の存在を検出するための近赤外範囲、より具体的には１３００ｎｍ（Ｌａ）、１４６０ｎｍ（Ｌｂ）、１５５０ｎｍ（Ｌｃ）の各波長の単色光を放出するための発光ダイオード（ＬＥＤ，ｌｉｇｈｔ  ｅｍｉｔｔｉｎｇ  ｄｉｏｄｅ）である。本装置は濁度光源４を更に備え、この濁度光源は、液体中の懸濁粒子の存在（濁度としても知られている）によって最も影響を受ける近赤外範囲の波長、例えば、１９００ｎｍ（水による吸光度が高く、液体による反射性を、液体中の懸濁粒子の存在と共に増大するものとして予想することができる）に選択される単色光を放出するための発光ダイオードである。濁度光源４は、精神活性成分を含むタブレットからの非溶解薬物キャリア物質の存在によって、又は水やアルコールに溶解しないある種の精神活性成分によって生じる液体６の濁度の尺度を得るために適用される。装置１は制御ユニット７を更に備え、この制御ユニットは、光源３ａ、３ｂ、３ｃ、４の動作を制御し、光検出器５からの出力を受信し、液体６中の精神活性成分の存在の可能性を計算し、それに応じて緑色光ダイオード８又は赤色光ダイオード９を作動させる出力を生成し、送信機１１によって一組のデータ１０を外部受信機（携帯電話等、図示せず）に無線送信する。代替実施形態では、一組のデータ１０は、コンピュータソフトウェアを備えた外部受信機に送信され、そのコンピュータソフトウェアは、精神活性成分の存在の可能性を決定して、装置１の送受信機１１に無線送信される出力を提供する。
【００３８】
装置１の使用時には、装置が液体６の含有物の非接触検出を行うことができるように、使用者が、液体容器１３中の液体６の表面１２と、装置１を備えたブレスレット２とを相対的に位置決めする。これは、四つの光源３ａ、３ｂ、３ｃ、４から光１４を放出して、液体６の表面１２から拡散反射された光１５の強度を光検出器５によって検出することで行われる。例示のため、図面には、四つの光源３ａ、３ｂ、３ｃ、４のうち一つの光源３ｂから放出された光１４と、対応する拡散反射光１５のみが示されている。
【００３９】
制御ユニット７は、異なるスイッチング周波数で四つの光源３ａ、３ｂ、３ｃ、４を作動させて、四つの光源３ａ、３ｂ、３ｃ、４の各々から放出される光に関連又は起因した出力に対する制御ユニット７による周波数分析によって、光検出器５から制御ユニット７への出力を簡単に分離可能なものにする。
【００４０】
出力の分離を可能にするように異なる光源３ａ、３ｂ、３ｃ、４を作動させる他のモードも既知の方法に基づいて実施可能である。
【００４１】
四つの光源３ａ、３ｂ、３ｃ、４の各々に関連する光検出器５からの出力の部分は、異なる分析に適用される。
【００４２】
濁度光源４に関連する光検出器５からの出力の部分は、液体６中の非溶解懸濁粒子（おそらくは、向精神薬を含むタブレット中の薬物キャリア物質の部分的な溶解に起因する）の存在を示す分析において用いられる。
【００４３】
また、液体の濁度は、試験光源に関連する出力部分からも評価可能である。反射は濁度と共に増大するが、含有の可能性のある精神活性成分のスペクトル特性に応じて減少もし得る。出力の評価から、制御ユニット７が、試験を繰り返すように（信号対雑音比を改善するために装置１と液体６の自由表面１２との間の距離を短くし得る）、二つのカラーダイオード８、９を点滅させ得て、又は、評価結果が陽性である場合には、制御ユニット７は、赤色光ダイオード９を点灯させ得る。純粋に濁度に基づいた陽性指標は、例えば、高含有量の懸濁粒子を自然に含む液体中のフルーツジュースや牛乳の存在に起因するものであったり、向精神薬を含むタブレット中の薬物キャリア物質の部分的溶解に起因するものであったりし得る。従って、高濁度の指標を用いて、試験光源３ａ、３ｂ、３ｃに関連する出力部分の評価から液体６中の向精神薬の存在を示す結果をサポートすることができる。代わりに、繰り返しの試験が同じ結果を有する場合、つまり、高濁度であるが、試験光源３ａ、３ｂ、３ｃに関連する出力部分の評価からの有義な結果を有さない場合、両方のカラーダイオード８、９を作動させて、液体６の濁度が非常に高いことを使用者に知らせ得る。
【００４４】
光源３ａ、３ｂ、３ｃ、４の各々に関連する光検出器５からの出力部分は、相互比較によって補償又は正規化され、個々の測定における光源３ａ、３ｂ、３ｃ、４と液体６の自由表面１２との間の距離及び角度の変動を補償する。従って、二つの光源３ａ、３ｂに関連する出力が比較的低い場合には、他の光源３ｃ、４に関連する出力はそれに応じて低いと予想される。
【００４５】
ラム、ジン、ウォッカ等の異なるアルコール液体と水、コーラ、トニック、ジュースと氷との混合物に、多様な向精神薬を加えたものに対する多数の試験結果を多変量分析（ＭＶＡ，ｍｕｌｔｉ  ｖａｒｉａｂｌｅ  ａｎａｌｙｓｉｓ）に基づいて分析した。本発明者の実験によると、ＭＶＡによって、向精神薬の存在を非常に高い確実性で検出することができ、１０回の試験中８回よりも多くの試験において、ドラッグ自体を識別することができた。
【００４６】
追加の試験光源３ｄ…３ｎを加えて、向精神薬を個々に識別し得る確実性を増大させること、及び／又は、以前の試験結果の多変量分析に基づいた評価の信頼性を更に改善することができる。
【００４７】
特に、代替実施形態において、又は上記実施形態に追加して、試験光源３ａ…３ｎが、精神活性成分による有義な吸光の波長に対応する波長を有するように選択され得る。ケタミンを例にとると、水及びアルコールの混合物の薬物を含む場合と含まない場合との屈折率の差は、７７８ｎｍ及び６２００ｎｍの波長において最も強いことがわかった。ＧＨＢ（ガンマヒドロキシ酪酸）の識別は、１７０３ｎｍ、１７５１ｎｍ、２２９２ｎｍの試験光源３ａ…３ｎで行われ得て、一方、ＧＢＬ（ＧＨＢのラクトン化合物への化学変換であるガンマブチロラクトン（ｇａｍｍａ‐ｂｕｔｙｒｏｌａｃｔｏｎｅ））は、１１７０ｎｍ、１４１０ｎｍ、１６８３ｎｍ、１７２１ｎｍ、及び１９０８ｎｍにおいて顕著な反射率の差を有することがわかっている。
【００４８】
試験光源３ａ…３ｎのうち一つ以上の波長を、特定の精神活性成分に対して有義なこれら波長、又は他の精神活性成分に対して有義な他の波長のうち一つに整合するように選択することによって、試験の評価の信頼性を改善することができ、代わりに、試験光源３ａ…３ｎの各波長を、一つの想定される精神活性成分に対する有義な波長として選択して、試験結果のＭＶＡに基づいた出力部分の追加の評価を任意で加えてもよい。
【符号の説明】
【００４９】
１  装置
２  ブレスレット
３ａ、３ｂ、３ｃ  試験光源
３ｄ…３ｎ  追加の試験光源
４  濁度光源
５  光検出器
６  液体
７  制御ユニット
８  緑色光ダイオード
９  赤色光ダイオード
１０  一組のデータ
１１  送信機／送受信機
１２  液体の自由表面
１３  液体容器
１４  光源から放出された光
１５  拡散反射光
Ｌａ  第一の試験光源から放出された単色光の波長
Ｌｂ  第二の試験光源から放出された単色光の波長
Ｌｃ  第三の試験光源から放出された単色光の波長
【図１】
2016524146.tif 000003
【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
３体積パーセントから５０体積パーセントまでの範囲内の量のアルコールを含む液体（６）中の精神活性成分の指標を非接触検出する方法であって、
第一の試験光源（３ａ）によって第一の試験波長（Ｌａ）の実質的に単色光を放出するステップと、
第二の試験光源（３ｂ）によって前記第一の試験波長（Ｌａ）とは異なる第二の試験波長（Ｌｂ）の実質的に単色光を放出するステップと、
光検出器（５）によって前記液体（６）の自由表面（１２）における放出光の反射を検出するステップであって、前記第一の試験光源（３ａ）及び前記第二の試験光源（３ｂ）が、前記光検出器（５）からの出力信号を前記第一の試験光源から放出された光によって生じる出力部分と前記第二の試験光源から放出された光によって生じる出力部分とに分離することができるように作動される、ステップと、
前記光検出器（５）からの出力信号を分析して、前記第一の試験光源（３ａ）から放出された光によって生じる前記光検出器（５）からの第一の出力部分と、前記第二の試験光源（３ｂ）から放出された光によって生じる第二の出力部分とを識別するステップと、
少なくとも前記第一の出力部分及び前記第二の出力部分から、前記液体（６）がゾルピデム、ケタミン、及びガンマヒドロキシ酪酸の精神活性成分を含むかどうかの指標を決定するステップとを備えた方法。
【請求項２】
少なくとも一つの追加の光源（３ｃ…３ｎ、４）によって少なくとも一つの追加の波長（Ｌｃ）の実質的に単色光を放出するステップと、
光検出器（５）によって前記液体（６）の自由表面（１２）における放出光の反射を検出するステップであって、前記追加の光源（３ｃ…３ｎ、４）が、前記光検出器（５）からの出力信号を前記追加の光源（３ｃ…３ｎ、４）の各々から放出された光によって生じる出力部分に分離することができるように作動される、ステップと、
前記光検出器（５）からの出力信号を分析して、前記少なくとも一つの追加の光源（３ｃ…３ｎ、４）から放出された光によって生じる前記光検出器からの追加の出力部分を識別するステップと、
前記液体が前記精神活性成分を含むかどうかの指標を決定するように前記追加の出力部分を適用するステップとを備えた請求項１に記載の方法。
【請求項３】
前記追加の光源のうち一つ（４）によって放出される光が、１４００ｎｍから１５６０ｎｍまでの範囲又は１８７０ｎｍから２０５０ｎｍの範囲内の濁度波長に選択され、該追加の光源（４）から放出された光によって生じる前記光検出器からの出力部分が、前記液体（６）の濁度を決定するように適用される、請求項２に記載の方法。
【請求項４】
前記出力部分から、前記液体（６）がガンマブチロラクトンの精神活性成分を含むかどうかの指標を決定するステップを更に備えた請求項１から３のいずれか一項に記載の方法。
【請求項５】
前記出力部分から、前記液体（６）がフルニトラゼパム、ゾピクロン、及びメチルフェニデートの精神活性成分を含むかどうかの指標を決定するステップを更に備えた請求項１から４のいずれか一項に記載の方法。
【請求項６】
前記出力部分から、前記液体（６）がミダゾラム、テマゼパム、クロナゼパム、及びアルプラゾラムの精神活性成分を含むかどうかの指標を決定するステップを更に備えた請求項１から５のいずれか一項に記載の方法。
【請求項７】
前記出力部分から、前記液体（６）がベンゾジアゼピン系薬の精神活性成分を含むかどうかの指標を決定するステップを更に備えた請求項１から６のいずれか一項に記載の方法。
【請求項８】
前記出力部分から前記液体（６）が前記精神活性成分を含むかどうかの指標を決定するステップが、複数の試験結果の多変量分析に基づいている、請求項１から７のいずれか一項に記載の方法。
【請求項９】
二つ、好ましくは三つの試験波長（Ｌａ、Ｌｂ、Ｌｃ）それぞれの間の相互分離が、少なくとも６０ｎｍ、好ましくは少なくとも９０ｎｍである、請求項１から８のいずれか一項に記載の方法。
【請求項１０】
少なくとも前記第一の試験波長（Ｌａ）及び前記第二の試験波長（Ｌｂ）が、７００ｎｍから２５００ｎｍまでの範囲内、好ましくは９００ｎｍから１８００ｎｍまでの範囲内、より好ましくは１０００ｎｍから１４００ｎｍまでの範囲内にある、請求項１から９のいずれか一項に記載の方法。
【請求項１１】
第三の試験波長（Ｌｃ）が、７００ｎｍから２５００ｎｍまでの範囲内、好ましくは９００ｎｍから１８００ｎｍまでの範囲内、より好ましくは１０００ｎｍから１４００ｎｍまでの範囲内にある、請求項１０に記載の方法。
【請求項１２】
前記液体（６）が、検出後に人間が消費するのに適している、請求項１から１１のいずれか一項に記載の方法。
【請求項１３】
前記光源（３ａ、３ｂ、３ｃ、３ｄ…３ｎ、４）及び前記光検出器（５）が、前記液体の自由表面（１２）からの光の拡散反射が前記光検出器（５）に到達し、前記液体の自由表面（１２）からの鏡面反射が前記光検出器（５）に到達しないように配置される、請求項１から１２のいずれか一項に記載の方法。
【請求項１４】
前記光源のうち少なくとも一つ（３ａ、３ｂ、３ｃ）が発光ダイオードである、請求項１から１３のいずれか一項に記載の方法。
【請求項１５】
前記光検出器（５）が複数の光検出ユニットから成る、請求項１から１４のいずれか一項に記載の方法。
【国際調査報告】
2016524146.tif 000004
2016524146.tif 000005
2016524146.tif 000006